(57)【要約】    【課題】  全系が小型で、かつ広画角でありながら、全ズーム範囲及び画面全体にわたり高い光学性能が得られるズームレンズを得ること。    【解決手段】  物体側より像側へ順に配置された、負の屈折力の第１レンズ群、正の屈折力の第２レンズ群、１つ以上のレンズ群を含む後群より構成され、ズーミングに際して、隣り合うレンズ群の間隔が変化するズームレンズにおいて、第１レンズ群は物体側から像側へ順に配置された、負レンズ、負レンズを有し、第１レンズ群の焦点距離ｆ１、広角端から望遠端へのズーミングにおける第２レンズ群Ｌ２の移動量Ｍ２、広角端における光学全長Ｌｗ、広角端における全系の焦点距離ｆｗ、望遠端における全系の焦点距離ｆｔを各々適切に設定すること。【選択図】    図１
2019139172.tif 000002
【特許請求の範囲】
【請求項１】
物体側より像側へ順に配置された、負の屈折力の第１レンズ群、正の屈折力の第２レンズ群、１つ以上のレンズ群を含む後群より構成され、ズーミングに際して隣り合うレンズ群の間隔が変化するズームレンズにおいて、
前記第１レンズ群は物体側から像側へ順に配置された、負レンズ、負レンズを有し、
前記第１レンズ群の焦点距離をｆ１、広角端から望遠端へのズーミングにおける前記第２レンズ群の移動量をＭ２、広角端における光学全長をＬｗ、広角端における全系の焦点距離をｆｗ、望遠端における全系の焦点距離をｆｔとするとき、
−０．３８＜ｆ１／ｆｔ＜−０．１０
−４．０＜Ｍ２／ｆｗ＜−２．０
６．０＜Ｌｗ／ｆｗ＜９．０
なる条件式を満足することを特徴とするズームレンズ。
【請求項２】
前記第２レンズ群の焦点距離をｆ２とするとき、
−２０．０＜ｆ２／ｆ１＜−２．８
なる条件式を満足することを特徴とする請求項１に記載のズームレンズ。
【請求項３】
望遠端における光学全長をＬｔとするとき、
１．３＜Ｌｗ／Ｌｔ＜１．８
なる条件式を満足することを特徴とする、請求項１または２に記載のズームレンズ。
【請求項４】
前記後群の最も像側には負の屈折力のレンズ群が配置されていることを特徴とする請求項１乃至３のいずれか１項に記載のズームレンズ。
【請求項５】
前記後群の最も像側には正の屈折力のレンズが配置されていることを特徴とする請求項１乃至４のいずれか１項に記載のズームレンズ。
【請求項６】
無限遠から近距離へのフォーカシングに際して、前記第２レンズ群は像側へ移動することを特徴とする請求項１乃至５のいずれか１項に記載のズームレンズ。
【請求項７】
前記第１レンズ群は、少なくとも１つのレンズ面が非球面形状の非球面レンズを２枚以上有することを特徴とする請求項１乃至６のいずれか１項に記載のズームレンズ。
【請求項８】
前記第２レンズ群より像側に開口絞りを有し、該開口絞りより像側に、フレアーカット絞りを有することを特徴とする請求項１乃至７のいずれか１項に記載のズームレンズ。
【請求項９】
前記フレアーカット絞りは、ズーミングに際して、該フレアーカット絞りの物体側及び像側のレンズ群と異なる軌跡で移動することを特徴とする請求項８に記載のズームレンズ。
【請求項１０】
前記後群は物体側から像側へ順に配置された、正の屈折力の第３レンズ群、負の屈折力の第４レンズ群、正の屈折力の第５レンズ群、負の屈折力の第６レンズ群より構成されることを特徴とする請求項１乃至９のいずれか１項に記載のズームレンズ。
【請求項１１】
前記第４レンズ群の像側に、該第４レンズ群に隣接して開口絞りを有し、該開口絞りはズーミングに際して前記第４レンズ群と同じ軌跡で移動することを特徴とする請求項１０に記載のズームレンズ。
【請求項１２】
前記開口絞りの像側に該開口絞りと隣接してフレアーカット絞りを有し、該フレアーカット絞りは前記開口絞り及び前記第５レンズ群と異なる軌跡で移動することを特徴とする請求項１１に記載のズームレンズ。
【請求項１３】
請求項１乃至１２のいずれか１項に記載のズームレンズと、該ズームレンズによって形成される像を受光する撮像素子を有していることを特徴とする撮像装置。
【請求項１４】
前記撮像素子の撮像有効径の半分をＩｍｇとするとき、
−１．３＜ｆ１／Ｉｍｇ＜−０．１
なる条件式を満足することを特徴とする請求項１３に記載の撮像装置。
【発明の詳細な説明】
【技術分野】
【０００１】
本発明は、ズームレンズ及びそれを有する撮像装置に関するものであり、例えばデジタルスチルカメラ、デジタルビデオカメラ、監視カメラ等に用いられる撮像光学系として好適なものである。
【背景技術】
【０００２】
近年、撮像装置に用いられる撮像光学系には、より広範囲な撮影条件に対応するために、広画角で、全ズーム範囲にわたり高い光学性能を有した小型のズームレンズであることが望まれている。
【０００３】
全系が小型で広画角化が容易なズームレンズとして、物体側に負の屈折力のレンズ群が位置するネガティブリード型のズームレンズが知られている（特許文献１）。
【０００４】
特許文献１では物体側から像側へ順に、負、正、正、負、正の屈折力の第１レンズ群乃至第５レンズ群よりなり、各レンズ群を移動させてズーミングを行う５群ズームレンズを開示している。特許文献１では広角端での撮像画角１００度以上で、広画角化を図る際に生ずる歪曲収差と色収差を低減させ、全ズーム範囲で高い光学性能を有するズームレンズを開示している。
【先行技術文献】
【特許文献】
【０００５】
【特許文献１】特開２０１５−２０６９７６号公報
【発明の概要】
【発明が解決しようとする課題】
【０００６】
負の屈折力のレンズ群が先行するネガティブリード型のズームレンズは、広画角化が比較的容易であり、又長いバックフォーカスが容易に得られるという特徴がある。ネガティブリード型のズームレンズにおいて、更に広画角化を図りつつ、高ズーム比化を図るためには、例えば開口絞りより像側に配置される正の屈折力のレンズ群の屈折力をさらに強めたり、ズーミングに際してのレンズ群の移動量を増やせば良い。
【０００７】
しかしながらそうすると、負の第１レンズ群より歪曲収差や倍率色収差が多く発生してくる。
【０００８】
ネガティブリード型のズームレンズは、開口絞りに対し、レンズ構成が非対称となるため、広画角化を図りつつ全系の小型化を図ろうとすると、諸収差のうち、特に歪曲収差と倍率色収差が多く発生してくる。
【０００９】
ネガティブリード型のズームレンズにおいて、全系の小型化を図りつつ、広画角でしかも所定のズーム比を有し、画面全体にわたり高い光学性能を得るには、レンズ群の数、各レンズ群の屈折力やレンズ構成等を適切に設定することが重要になってくる。
【００１０】
特に最も物体側に配置される負の屈折力の第１レンズ群の屈折力や、レンズ構成、そして第１レンズ群よりも像側に配置される第２レンズ群のレンズ構成等を適切に設定することが重要になってくる。
【００１１】
本発明は、全系が小型で、かつ広画角でありながら、全ズーム範囲及び画面全体にわたり高い光学性能が得られるズームレンズの提供を目的とする。
【課題を解決するための手段】
【００１２】
本発明のズームレンズは、物体側より像側へ順に配置された、負の屈折力の第１レンズ群、正の屈折力の第２レンズ群、１つ以上のレンズ群を含む後群より構成され、ズーミングに際して、隣り合うレンズ群の間隔が変化するズームレンズにおいて、前記第１レンズ群は物体側から像側へ順に配置された、負レンズ、負レンズを有し、前記第１レンズ群の焦点距離をｆ１、広角端から望遠端へのズーミングにおける前記第２レンズ群の移動量をＭ２、広角端における光学全長をＬｗ、広角端における全系の焦点距離をｆｗ、望遠端における全系の焦点距離をｆｔとするとき、
−０．３８＜ｆ１／ｆｔ＜−０．１０
−４．０＜Ｍ２／ｆｗ＜−２．０
６．０＜Ｌｗ／ｆｗ＜９．０
なる条件式を満足することを特徴としている。
【発明の効果】
【００１３】
本発明によれば、全系が小型で、かつ広画角でありながら、全ズーム範囲及び画面全体にわたり高い光学性能が得られるズームレンズが得られる。
【図面の簡単な説明】
【００１４】
【図１】実施例１のズームレンズの光学断面図
【図２】実施例１のズームレンズの広角端、中間のズーム位置、望遠端の収差図
【図３】実施例２のズームレンズの光学断面図
【図４】実施例２のズームレンズの広角端、中間のズーム位置、望遠端の収差図
【図５】実施例３のズームレンズの光学断面図
【図６】実施例３のズームレンズの広角端、中間のズーム位置、望遠端の収差図
【図７】本発明の撮像装置の概略図
【発明を実施するための形態】
【００１５】
以下に本発明の好ましい実施の形態を添付の図面に基づいて説明する。本発明のズームレンズは、物体側より像側へ順に配置された、負の屈折力の第１レンズ群、正の屈折力の第２レンズ群、１つ以上のレンズ群を含む後群より構成され、ズーミングに際して、隣り合うレンズ群の間隔が変化する。第１レンズ群は物体側から像側へ順に配置された、負レンズ、負レンズを有している。
【００１６】
図１は実施例１の広角端（短焦点距離端）におけるレンズ断面図である。図２（Ａ）、（Ｂ）、（Ｃ）は実施例１のズームレンズの無限遠物体にフォーカスを合わせたとき（合焦したとき）の広角端，中間のズーム位置，望遠端（長焦点距離端）における縦収差図である。実施例１はズーム比３．９５、Ｆナンバー３．５７〜５．８５のズームレンズである。
【００１７】
図３は実施例２の広角端におけるレンズ断面図である。図４（Ａ）、（Ｂ）、（Ｃ）は実施例２のズームレンズにおいて無限遠物体にフォーカスを合わせたときの広角端，中間のズーム位置，望遠端における縦収差図である。実施例２はズーム比４．２５、Ｆナンバー３．５７〜５．８５のズームレンズである。
【００１８】
図５は実施例３の広角端におけるレンズ断面図である。図６（Ａ）、（Ｂ）、（Ｃ）は実施例３のズームレンズにおいて無限遠物体にフォーカスを合わせたときの広角端，中間のズーム位置，望遠端における縦収差図である。実施例３はズーム比４．１４、Ｆナンバー３．５７〜５．８５のズームレンズである。
【００１９】
各実施例のズームレンズはビデオカメラやデジタルカメラ、そして監視カメラ等の撮像装置に用いられる撮像光学系（光学系）である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図において、ＯＬはズームレンズである。ｉは物体側からのレンズ群の順番を示し、Ｌｉは第ｉレンズ群である。ＬＲは１つ以上のレンズ群を含む後群である。
【００２０】
ＳＰは開口絞り（開放Ｆナンバー絞り）である。ＦＳはフレアーカット絞りである。ＩＰは像面であり、ビデオカメラやデジタルスチルカメラの撮影光学系として使用する際にはＣＣＤセンサやＣＭＯＳセンサ等の撮像素子（光電変換素子）の撮像面が位置する。矢印（第２レンズ群Ｌ２に際しては矢印２ａ）は無限遠に合焦しているときの広角端から望遠端へのズーミングに際してのレンズ群の移動方向を示している。
【００２１】
第２レンズ群Ｌ２に関する点線で示した矢印２ｂは近距離にフォーカスしているときの広角端から望遠端へのズーミングに際しての移動軌跡を示している。尚、以下の各実施例において広角端と望遠端は変倍用レンズ群が機構上、光軸上移動可能な範囲の両端に位置したときのズーム位置をいう。収差図のうち球面収差において、実線のｄはｄ線（５８７．６ｎｍ）、二点鎖線のｇはｇ線（４３５．８ｎｍ）を表している。
【００２２】
また、非点収差を示す図において、実線のΔＳはｄ線のサジタル方向、破線のΔＭはｄ線のメリディオナル方向を表している。また、歪曲を示す図は、ｄ線における歪曲を表している。倍率色収差図において２点鎖線のｇはｄ線に対する倍率色収差を示している。ＦｎｏはＦナンバー、ωは撮影画角の半画角（度）である。
【００２３】
各実施例のズームレンズは、物体側より像側へ順に配置された、負の屈折力の第１レンズ群Ｌ１と、正の屈折力の第２レンズ群Ｌ２と、１つ以上のレンズ群を含む後群ＬＲより構成されている。後群ＬＲは正の屈折力の第３レンズ群Ｌ３と、負の屈折力の第４レンズ群Ｌ４、開口絞りＳＰ、ズーミングに応じて光軸方向の位置および開口径を変化させられるフレアーカット絞り（補助絞り）ＦＳを有する。更に正の屈折力の第５レンズ群Ｌ５と負の屈折力の第６レンズ群Ｌ６より構成されている。ズーミングに際して隣り合うレンズ群の間隔が変化する。
【００２４】
第１レンズ群Ｌ１は、物体側から像側へ順に配置された、負レンズ、負レンズを有している。第１レンズ群Ｌ１は全体として強い負の屈折力を有し、広角端の短焦点距離化を実現すると共に、負の屈折力を複数のレンズに分担させることで歪曲収差や倍率色収差の発生が少なくなるようにしている。第２レンズ群Ｌ２以降（像側）の各レンズ群よりなる後群ＬＲを全体として正の屈折力を有するようにしている。そして広角端から望遠端へのズーミングに際して、物体側に繰出すことで、高いズーム比を得ている。
【００２５】
開口絞りＳＰに対して最も像側に、負の屈折力の第６レンズ群Ｌ６を配置することにより、第１レンズ群Ｌ１との対象性から、歪曲収差や倍率色収差を低減している。無限遠から近距離へのフォーカシングに際して第２レンズ群Ｌ２はフォーカスに関する矢印２ｃの如く像側へ移動する。
【００２６】
第１レンズ群Ｌ１の焦点距離をｆ１、広角端から望遠端へのズーミングにおける第２レンズ群Ｌ２の移動量をＭ２、広角端における光学全長をＬｗとする。広角端における全系の焦点距離をｆｗ、望遠端における全系の焦点距離をｆｔとする。このとき、
−０．３８＜ｆ１／ｆｔ＜−０．１０  ・・・（１）
−４．０＜Ｍ２／ｆｗ＜−２．０      ・・・（２）
６．０＜Ｌｗ／ｆｗ＜９．０          ・・・（３）
なる条件式を満足する。
【００２７】
なおここで光学全長とは、最も物体側のレンズ面から最も像側のレンズ面までの距離である。また、レンズ群の移動量とは、広角端におけるレンズ群の光軸上の位置と望遠端におけるレンズ群の光軸上の位置の差をいう。移動量の符号は広角端に比べて望遠端においてレンズ群が像側に位置するときを正、物体側に位置するときを負とする。
【００２８】
次に前述の各条件式の技術的意味について説明する。条件式（１）は、第１レンズ群の焦点距離を規定している。
【００２９】
条件式（１）の上限値を上回り、第１レンズ群Ｌ１の負の焦点距離が短くなると（負の焦点距離の絶対値が小さくなると）、歪曲収差や倍率色収差を低減するためには第１レンズ群Ｌ１に多くのレンズを配置することが必要となり、前玉有効径が大型化する。更に、ゴーストが増加してくるため良くない。また、条件式（１）の下限値を下回り、第１レンズ群Ｌ１の負の焦点距離が長くなると（負の焦点距離の絶対値が大きくなると）、広角端におけるレンズ全系の焦点距離を短くすること（広画角化を図ること）が困難となる。
【００３０】
条件式（２）は、ズーミングに際しての第２レンズ群Ｌ２の移動量を規定している。条件式（２）の上限値を上回り、第２レンズ群Ｌ２の移動量が少なくなりすぎると、十分なズーム比を得るためには第２レンズ群Ｌ２の焦点距離を短縮することが必要となる。そうすると、望遠端において球面収差や軸上色収差を良好に補正することが困難となる。
【００３１】
また、条件式（２）の下限値を下回り、第２レンズ群Ｌ２の移動量が大きくなりすぎると、移動のためのスペースを確保するために、広角端において第１レンズ群Ｌ１と第２レンズ群Ｌ２の間隔を広くしなければならない。そうすると、前玉有効径が増大し、また歪曲収差が増大してくる。
【００３２】
条件式（３）は、広角端における光学全長を規定している。条件式（３）の上限値を上回り、光学全長が長くなりすぎると、前玉有効径が増大してくる。条件式（３）の下限値を下回ると、第１レンズ群Ｌ１と最も像側の第６レンズ群Ｌ６との距離が近づきすぎる。そうすると、第１レンズ群Ｌ１で発生した歪曲収差や倍率色収差を第６レンズ群Ｌ６で補正することが困難となる。更に好ましくは条件式（１）乃至（３）の数値範囲を次の如く設定するのが良い。
【００３３】
−０．３４＜ｆ１／ｆｔ＜−０．２５  ・・・（１ａ）
−３．５＜Ｍ２／ｆｗ＜−２．５      ・・・（２ａ）
６．８＜Ｌｗ／ｆｗ＜８．５          ・・・（３ａ）
【００３４】
各実施例において好ましくは次の条件式のうち１つ以上を満足するのが良い。第２レンズ群Ｌ２の焦点距離をｆ２とする。望遠端における光学全長をＬｔとする。また各実施例のズームレンズを、該ズームレンズによって形成される像を受光する撮像素子を有する撮像装置に用いたとき、撮像素子の撮像有効径の半分をＩｍｇとする。このとき、次の条件式のうち１つ以上を満足するのが良い。
【００３５】
−２０．０＜ｆ２／ｆ１＜−２．８    ・・・（４）
１．３＜Ｌｗ／Ｌｔ＜１．８          ・・・（５）
−１．３＜ｆ１／Ｉｍｇ＜−０．１    ・・・（６）
【００３６】
次に前述の各条件式の技術定期意味について説明する。条件式（４）は、第２レンズ群Ｌ２と、第１レンズ群Ｌ１の焦点距離の比率を規定している。条件式（４）の上限を上回り、第２レンズ群Ｌ２の正の屈折力が強くなりすぎると、第２レンズ群Ｌ２でフォーカシングを行う際に収差変動が大きくなるため、良くない。条件式（４）の下限を下回ると、第１レンズ群Ｌ１で発散した軸上光束を第２レンズ群Ｌ２で十分に収束することができず、開口絞りＳＰの絞り径が大きくなってしまうため、レンズ外径が大きくなるので良くない。
【００３７】
条件式（５）は、広角端における光学全長と望遠端における光学全長の比率を規定している。条件式（５）の上限を上回ると、光学全長の差が大きくなりすぎる。そうすると、ひとつの鏡筒にレンズを繰出すために必要なカムを引くことが困難となり、鏡筒を２重構造にする必要があり、この結果、レンズ外径が大きくなったり、各レンズ群間の偏芯精度が低下してくる。
【００３８】
条件式（５）の下限を下回ると、第１レンズ群Ｌ１より発生する負の歪曲収差や倍率色収差が、広角端から望遠端へのズーミングに際して変化する量に対して、最も像側の第６レンズ群Ｌ６で第１レンズ群Ｌ１と逆方向に発生する量の変化が少なくなる。このため、結果的にズーミングに際して収差変動が大きくなるので良くない。
【００３９】
条件式（６）は、第１レンズ群Ｌ１の焦点距離を撮像素子の有効径の半分の値（最大像高）で正規化した値の、好ましい比率を規定している。条件式（６）の上限値を上回り、第１レンズ群Ｌ１の焦点距離が小さくなると、歪曲収差や倍率色収差を十分に低減するために第１レンズ群Ｌ１に多くのレンズを配置することが必要となる。
【００４０】
そうすると前玉有効径が大型化し、またゴーストの発生が多くなってくるため良くない。また、条件式（１）の下限値を下回り、第１レンズ群Ｌ１の負の焦点距離が長くなりすぎると、レンズ全系の焦点距離を短くすること（広画角化を図ること）が困難となる。なお、好ましくは、条件式（４）乃至（６）の数値範囲を次の如く設定するのが良い。
【００４１】
−１０．０＜ｆ２／ｆ１＜−３．５  ・・・（４ａ）
１．４＜Ｌｗ／Ｌｔ＜１．７        ・・・（５ａ）
−１．２＜ｆ１／Ｉｍｇ＜−０．９  ・・・（６ａ）
【００４２】
更に好ましくは条件式（１ａ）乃至（６ａ）の数値範囲を次の如く設定するのが良い。
−０．３４＜ｆ１／ｆｔ＜−０．２８    ・・・（１ｂ）
−３．３０＜Ｍ２／ｆｗ＜−２．５５    ・・・（２ｂ）
７．０＜Ｌｗ／ｆｗ＜８．３            ・・・（３ｂ）
−６．０＜ｆ２／ｆ１＜−３．８        ・・・（４ｂ）
１．４＜Ｌｗ／Ｌｔ＜１．６            ・・・（５ｂ）
−１．１５＜ｆ１／Ｉｍｇ＜−０．９５  ・・・（６ｂ）
【００４３】
各実施例では以上のように各要素を特定することにより、広角端が超広画角でありながら、ズーム比が高く、高い光学性能を有するズームレンズを得ている。
【００４４】
次に、各実施例のレンズ構成について説明する。第１レンズ群Ｌ１は、少なくとも１つのレンズ面が非球面形状の非球面レンズを２枚以上有する。具体的には負の屈折力の第１レンズ群Ｌ１は、物体側から像側へ順に配置された負レンズ、負レンズを有する構成としている。また、２枚の負レンズは、非球面を有している。この構成により、第１レンズ群Ｌ１の強い負の屈折力を複数のレンズで分担すると共に、光線入射高さの異なるレンズ面に非球面を配置することで、歪曲収差と像面湾曲を良好に補正している。
【００４５】
各実施例においては、第２レンズ群Ｌ２は１枚以上の正レンズと１枚以上の負レンズを有し、全体として正の屈折力を有している。各実施例では比較的有効径が小さく軽量な第２レンズ群Ｌ２を光軸方向に移動してフォーカシングを行っている。具体的には、無限遠から近距離へのフォーカシングに際して、第２レンズ群Ｌ２は像側へ移動する。これにより、比較的大型の撮像素子に対応した光学系においても、軽量なレンズ群の駆動によって高速なフォーカシングを容易にしている。
【００４６】
後述する各実施例の数値データは、無限遠の物体にフォーカシングした際のものである。広角端から望遠端へのズーミングに際して第２レンズ群Ｌ２は物体側に移動している。第２レンズ群Ｌ２より像側に開口絞りＳＰを有し、開口絞りＳＰより像側に、フレアーカット絞りを有する。そしてフレアーカット絞りは、ズーミングに際して、フレアーカット絞りの物体側及び像側のレンズ群と異なる軌跡で移動する。
【００４７】
具体的には、第４レンズ群Ｌ４の像側に第４レンズ群Ｌ４に隣接して開口絞りＳＰを有している。また、開口絞りＳＰの像側には開口絞りＳＰに隣接して開放Ｆナンバーでの中心光束を決定すると共に、それより外側のフレア成分をカットするフレアーカット絞りＦＳを有している。
【００４８】
フレアーカット絞りＦＳは、ズーミングに際して、光軸方向に他のレンズ群と異なる軌跡で（独立に）移動する。これにより、ズーミングに際してＦナンバーの変動を低減と、フレア成分を効果的にカットしている。後群ＬＲの最も像側には負の屈折力のレンズ群（第６レンズ群Ｌ６）が配置されている。また、後群ＬＲの最も像側には正の屈折力のレンズが配置されている。
【００４９】
このように第６レンズ群Ｌ６は、負の屈折力を有している。またズームレンズの最も像側には正レンズを配置している。この構成により、負の屈折力の第１レンズ群で発生した歪曲収差や倍率色収差を補正しつつ、像面に対して光線をなるべく垂直に近い角度で入射させてシェーディングの発生を軽減している。
【００５０】
次に各実施例に示したズームレンズを撮像光学系として用いたデジタルスチルカメラの実施形態を図７を用いて説明する。
【００５１】
図７において２０はカメラ本体、２１は実施例１乃至３で説明したいずれかのズームレンズによって形成された撮像光学系である。２２はカメラ本体に内蔵され、撮像光学系２１によって形成された被写体像を受光するＣＣＤセンサやＣＭＯＳセンサ等の撮像素子（光電変換素子）である。２３は撮像素子２２によって光電変換された被写体像に対応する情報を記録するメモリである。２４は液晶ディスプレイパネル等によって構成され、撮像素子２２上に形成された被写体像を観察するためのファインダである。
【００５２】
このように本発明のズームレンズをデジタルスチルカメラ等の撮像装置に適用することにより、小型で高い光学性能を持った撮像装置を実現している。各実施例のズームレンズはクイックリターンミラーのある一眼レフカメラやクイックリターンミラーのないミラーレスの一眼レフカメラにも同様に適用できる。
【００５３】
以下、実施例１乃至３に対応するズームレンズの具体的な数値データを示す。ｉは物体から数えた順序を示す。面番号ｉは物体側から順に数えている。ｒｉは曲率半径、ｄｉは第ｉ番目と第ｉ＋１番目の面間隔である。ｎｄｉとνｄｉはそれぞれｄ線に対する第ｉ面と第（ｉ＋１）面との間の媒質の屈折率、アッベ数を表す。
【００５４】
またＢＦはバックフォーカスであり、最終レンズ面から像面までの空気換算長である。レンズ全長は第１レンズ面から最終レンズ面までの距離にバックフォーカスを加えた値である。
【００５５】
非球面は面番号の後に、＊の符号を付加して表している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ2／Ｒ）／［１＋｛１−（１＋ｋ）（ｈ／Ｒ）2｝1/2 ＋Ａ４×ｈ4＋Ａ６×ｈ6＋Ａ８×ｈ8＋Ａ１０×ｈ10＋Ａ１２×ｈ12
で表す。なお、各非球面係数における「ｅ±ＸＸ」は「×１０±ＸＸ」を意味している。前述の各条件式に関係した数値を表１に示す。 
【００５６】
［数値データ１］
単位 mm
面データ
面番号       r        d      nd         νd
1*       176.098    2.50   1.85400    40.4           
2*        21.017   14.00                             
3*       -72.107    2.00   1.59522    67.7           
4         50.481    0.61                             
5         60.785    4.00   1.85478    24.8           
6       6114.033  (可変)                             
7*        25.708    3.70   1.76385    48.5           
8      -1043.504    0.20                             
9         58.039    1.00   1.85478    24.8           
10         18.177    2.10   1.56732    42.8           
11         24.944  (可変)                             
12         28.752    4.45   1.76385    48.5           
13        -95.681  (可変)                             
14        -58.493    0.80   1.88300    40.8           
15         33.626    0.68                             
16         34.406    2.30   1.89286    20.4           
17        137.540    1.00                             
18(絞り)    ∞     (可変)                             
19          ∞     (可変) （フレアーカット絞り）
20         32.361    4.75   1.43875    94.9           
21        -36.636    0.20                             
22         41.794    5.10   1.51742    52.4           
23        -22.463    1.10   1.83400    37.2           
24       -719.152  (可変)                             
25        -79.075    2.77   1.49700    81.5           
26        -19.819    1.35   1.91082    35.3           
27         16.884    4.87   1.58313    59.4           
28*       299.719    4.78                             
29         87.686    4.74   1.80518    25.4           
30        -73.464  (可変)                             
像面        ∞   
【００５７】
非球面データ
第1面
K = 0.00000e+000  A 4= 1.81176e-005  A 6=-3.55029e-008  A 8= 2.95484e-011  A10=-9.56065e-015  A12= 1.94598e-018  
第2面
K = 0.00000e+000  A 4= 1.28680e-005  A 6= 6.31262e-009  A 8=-1.01994e-010  A10=-9.04564e-014  
第3面
K = 0.00000e+000  A 4=-1.44279e-006  A 6= 1.51279e-008  A 8=-3.09273e-011  A10=-9.66454e-016  
第7面
K = 0.00000e+000  A 4=-4.39514e-006  A 6=-4.54286e-009  A 8=-5.51719e-012  A10=-1.03216e-014  
第28面
K = 0.00000e+000  A 4= 6.27796e-006  A 6=-2.80249e-008  A 8= 7.77700e-011  A10=-2.10301e-012  
各種データ
ズーム比     3.95 
広角     中間     望遠
焦点距離      17.40    35.02    68.69  
Fナンバー      3.57     4.18     5.85  
半画角（度）  51.19    31.71    17.48  
像高          21.64    21.64    21.64  
レンズ全長   149.59   133.68   150.50  
BF            13.43    27.63    57.99  
d 6           47.80    13.39     1.00  
d11            1.95     3.74     3.78  
d13            2.50     1.16     3.58  
d18            7.59     8.78     0.89  
d19            6.52     0.67     1.80  
d24            0.80     9.30    12.46  
d30           13.43    27.63    57.99  
レンズ群データ
群  始面    焦点距離  
1    1     -22.75  
2    7      99.77  
3   12      29.40  
4   14     -46.50  
5   19       ∞    
6   20      38.38  
7   25     -49.61  
【００５８】
［数値データ２］
単位 mm
面データ
面番号       r        d      nd         νd
1*        76.426    2.50   1.85400    40.4           
2*        19.512   15.95                             
3*       -72.107    2.00   1.59522    67.7           
4         38.735    0.03                             
5         39.127    4.10   1.85478    24.8           
6        117.967  (可変)                             
7*        28.465    3.50   1.76385    48.5           
8       -718.649    0.20                             
9         55.534    1.00   1.85478    24.8           
10         19.642    2.25   1.54814    45.8           
11         28.651  (可変)                             
12         30.845    4.80   1.76385    48.5           
13        -76.415  (可変)                             
14        -57.590    0.80   1.88300    40.8           
15         42.722    0.23                             
16         38.642    1.90   1.89286    20.4           
17         94.679    1.00                             
18(絞り)    ∞     (可変)                             
19          ∞     (可変) （フレアーカット絞り）
20         46.943    4.00   1.43875    94.9           
21        -42.812    0.20                             
22         37.565    5.90   1.51742    52.4           
23        -23.647    1.10   1.83400    37.2           
24       -104.873  (可変)                             
25        -47.733    1.20   1.49700    81.5           
26        -32.631    1.35   1.91082    35.3           
27         14.927    7.50   1.58313    59.4           
28*        95.899    4.00                             
29         72.919    5.20   1.80000    29.8           
30        -80.370  (可変)                             
像面        ∞   
【００５９】
非球面データ
第1面
K = 0.00000e+000  A 4= 1.33943e-005  A 6=-4.72091e-009  A 8=-4.02848e-011  A10= 5.03031e-014  A12=-1.18947e-017  
第2面
K = 0.00000e+000  A 4= 1.03995e-005  A 6= 8.14345e-009  A 8= 1.08994e-010  A10=-7.49033e-013  
第3面
K = 0.00000e+000  A 4=-1.44279e-006  A 6= 1.51279e-008  A 8=-3.09273e-011  A10=-9.66454e-016  
第7面
K = 0.00000e+000  A 4=-4.24524e-006  A 6=-5.31225e-009  A 8= 2.79093e-011  A10=-1.02283e-013  
第28面
K = 0.00000e+000  A 4=-6.28270e-007  A 6= 1.40126e-008  A 8=-4.10340e-010  A10=-7.55276e-014  
各種データ
ズーム比     4.25 
広角     中間     望遠
焦点距離      17.10    34.82    72.70  
Fナンバー      3.57     4.18     5.85  
半画角（度）  51.68    31.85    16.57  
像高          21.64    21.64    21.64  
レンズ全長   151.00   135.57   157.71  
BF            13.13    27.81    63.49  
d 6           47.80    13.39     1.00  
d11            1.95     3.74     3.78  
d13            2.50     1.16     3.58  
d18            7.59     8.78     0.89  
d19            6.52     0.67     1.80  
d24            0.80     9.30    12.46  
d30           13.13    27.81    63.49  
レンズ群データ
群  始面    焦点距離  
1    1     -21.75  
2    7      89.29  
3   12      29.34  
4   14     -44.69  
5   19       ∞    
6   20      35.71  
7   25     -45.99  
【００６０】
［数値データ３］
単位 mm
面データ
面番号       r        d      nd         νd
1*       230.682    2.50   1.85400    40.4           
2*        24.401   11.80                             
3*       -72.107    2.00   1.59522    67.7           
4         45.973    4.00   1.85478    24.8           
5        192.131  (可変)                             
6*        27.898    3.50   1.76385    48.5           
7       -335.048    0.20                             
8         61.408    1.00   1.85478    24.8           
9         23.916  (可変)                             
10         30.462    4.60   1.76385    48.5           
11        -72.118  (可変)                             
12        -46.657    0.80   1.88300    40.8           
13         51.687    0.20                             
14         37.353    1.60   1.89286    20.4           
15         67.159    1.00                             
16(絞り)    ∞     (可変)                             
17          ∞     (可変) （フレアーカット絞り）
18        197.291    3.50   1.43875    94.9           
19        -28.908    0.20                  
20         23.789    6.15   1.51742    52.4           
21        -27.262    1.10   1.83400    37.2           
22       2568.752  (可変)                             
23        -89.143    2.00   1.43875    94.9           
24        -34.840    1.30   1.91082    35.3           
25         14.554    6.50   1.58313    59.4           
26*       136.719    6.00                             
27         72.885    4.20   1.84666    23.8           
28       -138.921  (可変)                             
像面        ∞   
【００６１】
非球面データ
第1面
K = 0.00000e+000  A 4= 3.36705e-005  A 6=-9.88738e-008  A 8= 1.37417e-010  A10=-7.95697e-014  A12= 1.23226e-017  
第2面
K = 0.00000e+000  A 4= 3.42341e-005  A 6=-1.43410e-008  A 8=-3.35257e-010  A10= 6.86187e-013  
第3面
K = 0.00000e+000  A 4=-1.44279e-006  A 6= 1.51279e-008  A 8=-3.09273e-011  A10=-9.66454e-016  
第6面
K = 0.00000e+000  A 4=-3.89468e-006  A 6=-2.38732e-009  A 8=-8.63331e-013  A10=-7.43066e-014  
第26面
K = 0.00000e+000  A 4= 7.75371e-006  A 6=-5.99874e-008  A 8= 3.19953e-010  A10=-3.66968e-012  
各種データ
ズーム比     4.14 
広角     中間     望遠
焦点距離      18.70    37.55    77.50  
Fナンバー      3.57     4.18     5.85  
半画角（度）  49.16    29.95    15.60  
像高          21.64    21.64    21.64  
レンズ全長   146.50   128.90   147.50  
BF            15.19    27.72    59.84  
d 5           47.80    13.39     1.00  
d 9            1.95     3.74     3.78  
d11            2.50     1.16     3.58  
d16            7.59     8.78     0.89  
d17            6.52     0.67     1.80  
d22            0.80     9.30    12.46  
d28           15.19    27.72    59.84  
レンズ群データ
群  始面    焦点距離  
1    1     -24.39  
2    6     101.52  
3   10      28.59  
4   12     -39.20  
5   17       ∞    
6   18      34.56  
7   23     -49.61  
【００６２】
【表１】
2019139172.tif 000003
【符号の説明】
【００６３】
Ｌ０  ズームレンズ      ＬＲ  後群      Ｌ１  第１レンズ群
Ｌ２  第２レンズ群
【図１】
2019139172.tif 000004
【図２】
2019139172.tif 000005
【図３】
2019139172.tif 000006
【図４】
2019139172.tif 000007
【図５】
2019139172.tif 000008
【図６】
2019139172.tif 000009
【図７】
2019139172.tif 000010